(57)【要約】【課題】多色表示させるのに、赤、緑、青に共用の１本の表示データ線を使い、十分な輝度を有する表示装置を提供する。【解決手段】１画素３が赤色発光ダイオード７，８と緑色発光ダイオード９と青色発光ダイオード１０とからなり、複数の画素３が縦横に並べられた第１表示部Ａと、各々が列状に並んだ各赤色発光ダイオード７，８と各緑色発光ダイオード９と各青色発光ダイオード１０を各々、スタティック駆動する赤色用駆動回路Ｄ１〜Ｄ５と緑色用駆動回路Ｄ６〜Ｄ１０と青色用駆動回路Ｄ１１〜Ｄ１５とを備え、１連の表示データＳ１は１本の第１共通線１６Ａを介して、各駆動回路Ｄ１〜Ｄ１５へ出力される。【選択図】図８
2006064726.tif 000002
【特許請求の範囲】
【請求項１】
１画素が赤色発光ダイオードと緑色発光ダイオードと青色発光ダイオードとからなり、複数の前記画素が縦横に並べられた第１表示部と、各々が列状に並んだ前記各赤色発光ダイオードと前記各緑色発光ダイオードと前記各青色発光ダイオードを各々、スタティック駆動する赤色用駆動回路と緑色用駆動回路と青色用駆動回路とを備え、１連の表示データは１本の第１共通線を介して、前記各駆動回路へ出力される事を特徴とする表示装置。
【請求項２】
各列状に並んだ前記各赤色発光ダイオードをスタティック駆動する前記赤色用駆動回路を各列毎に設け、各列状に並んだ前記各緑色発光ダイオードをスタティック駆動する前記緑色用駆動回路を各列毎に設け、各列状に並んだ前記各青色発光ダイオードをスタティック駆動する前記青色用駆動回路を各列毎に設けた事を特徴とする請求項１の表示装置。
【請求項３】
順次位相が異なる複数のラッチ信号を出力するラッチ信号源を設け、各赤色用駆動回路と各緑色用駆動回路と各青色用駆動回路へ各ラッチ信号を出力する事により、前記各駆動回路に対し、前記表示データを分割して保存させる事を特徴とする請求項２の表示装置。
【請求項４】
前記各駆動回路は前記各ラッチ信号の入力に従い、前記各発光ダイオードに対し、分割された前記表示データを出力する事を特徴とする請求項３の表示装置。
【請求項５】
行列状に前記表示データを記憶する記憶部を設け、前記記憶部の各列には、各列毎の前記赤色用駆動回路へ出力すべき赤色表示データと、各列毎の前記緑色用駆動回路へ出力すべき緑色表示データと、各列毎の前記青色用駆動回路へ出力すべき青色表示データとが保存され、前記記憶部の各行に保存された前記表示データは、前記第１表示部の各行に表示されるべき表示データと一致する事を特徴とする請求項２の表示装置。
【請求項６】
１画素が赤色発光ダイオードと緑色発光ダイオードと青色発光ダイオードとからなり、複数の前記画素が縦横に並べられ、前記第１表示部に隣接する第２表示部と、列状に並んだ前記各赤色発光ダイオードと前記各緑色発光ダイオードと前記各青色発光ダイオードを各々、スタティック駆動する第２赤色用駆動回路と第２緑色用駆動回路と第２青色用駆動回路とを備え、前記表示データは前記駆動回路と第２共通線を介して、前記各第２駆動回路へ出力される事を特徴とする請求項１の表示装置。
【発明の詳細な説明】
【技術分野】
【０００１】
本発明は表示装置に関する。
【背景技術】
【０００２】
従来、この種の装置は例えば、特許文献１に示されている。この特許文献１の第２図によると、１画素が赤色発光ダイオードＲと緑色発光ダイオードＧとからなり、複数の画素２が縦横に並べられた表示器１が設けられている。そして、赤色用の表示データは、シフトレジスタ２１５と、ラッチ回路２１１と、ソースドライバ２０６を介して、赤色発光ダイオードＲへ出力されている。緑色用の表示データは、シフトレジスタ２１４と、ラッチ回路２１０と、ソースドライバ２０５を介して、緑色発光ダイオードＧへ出力されている。
【０００３】
また、走査線は、シンクドライバ２０１と、ソースドライバ２０２と、デコーダ２０７を介して、信号源Ａ，Ｂに接続され、ダイナミック駆動されている。
【特許文献１】特許第２９３１３８７号公報
【発明の開示】
【発明が解決しようとする課題】
【０００４】
上記装置では、赤色用の表示データと緑色用の表示データの２本を使用しているので、制御部（ＣＰＵ等）は比較的に高速の物が要求され、コスト高になる第１の欠点がある。更に、上記装置では、例えば１／４デューティのダイナミック駆動しているので、各赤色発光ダイオードと緑色発光ダイオードは、全体時間の１／４しか電圧が供給されない。そのため、表示装置全体としては、輝度が不十分である、第２の欠点がある。特に、メッセージボードの様に、屋外に設置される表示装置では、この輝度不足は、好ましくない。
【０００５】
そこで、本発明はこの様な従来の欠点を考慮して、多色表示させるのに、赤、緑、青に共用の１本の表示データ線を使い、十分な輝度を有する表示装置を提供する。
【課題を解決するための手段】
【０００６】
上記課題を解決するために、請求項１の本発明では、１画素が赤色発光ダイオードと緑色発光ダイオードと青色発光ダイオードとからなり、複数の前記画素が縦横に並べられた第１表示部と、各々が列状に並んだ前記各赤色発光ダイオードと前記各緑色発光ダイオードと前記各青色発光ダイオードを各々、スタティック駆動する赤色用駆動回路と緑色用駆動回路と青色用駆動回路とを備え、１連の表示データは１本の第１共通線を介して、前記各駆動回路へ出力される。
【０００７】
請求項２の本発明では、各列状に並んだ前記各赤色発光ダイオードをスタティック駆動する前記赤色用駆動回路を各列毎に設け、各列状に並んだ前記各緑色発光ダイオードをスタティック駆動する前記緑色用駆動回路を各列毎に設け、各列状に並んだ前記各青色発光ダイオードをスタティック駆動する前記青色用駆動回路を各列毎に設けた。
【０００８】
請求項３の本発明では、順次位相が異なる複数のラッチ信号を出力するラッチ信号源を設け、各赤色用駆動回路と各緑色用駆動回路と各青色用駆動回路へ各ラッチ信号を出力する事により、前記各駆動回路に対し、前記表示データを分割して保存させる。
【０００９】
請求項４の本発明では、前記各駆動回路は前記各ラッチ信号の入力に従い、前記各発光ダイオードに対し、分割された前記表示データを出力する。
【００１０】
請求項５の本発明では、行列状に前記表示データを記憶する記憶部を設け、前記記憶部の各列には、各列毎の前記赤色用駆動回路へ出力すべき赤色表示データと、各列毎の前記緑色用駆動回路へ出力すべき緑色表示データと、各列毎の前記青色用駆動回路へ出力すべき青色表示データとが保存され、前記記憶部の各行に保存された前記表示データは、前記第１表示部の各行に表示されるべき表示データと一致する。
【００１１】
請求項６の本発明では、１画素が赤色発光ダイオードと緑色発光ダイオードと青色発光ダイオードとからなり、複数の前記画素が縦横に並べられ、前記第１表示部に隣接する第２表示部と、列状に並んだ前記各赤色発光ダイオードと前記各緑色発光ダイオードと前記各青色発光ダイオードを各々、スタティック駆動する第２赤色用駆動回路と第２緑色用駆動回路と第２青色用駆動回路とを備え、前記表示データは前記駆動回路と第２共通線を介して、前記各第２駆動回路へ出力される。
【発明の効果】
【００１２】
請求項１の本発明では、１画素が赤色発光ダイオードと緑色発光ダイオードと青色発光ダイオードとからなり、複数の画素が縦横に並べられた第１表示部と、各々が列状に並んだ各赤色発光ダイオードと各緑色発光ダイオードと各青色発光ダイオードを各々、スタティック駆動する赤色用駆動回路と緑色用駆動回路と青色用駆動回路とを備え、１連の表示データは１本の第１共通線を介して、各駆動回路へ出力される。上記構成により、１本の第１共通線にて、赤、緑、青共用の１本の表示データ線を使うことができる。
【００１３】
請求項２の本発明では、各列状に並んだ前記各赤色発光ダイオードをスタティック駆動する赤色用駆動回路を各列毎に設け、各列状に並んだ各緑色発光ダイオードをスタティック駆動する緑色用駆動回路を各列毎に設け、各列状に並んだ各青色発光ダイオードをスタティック駆動する青色用駆動回路を各列毎に設けた。この様に、赤、緑、青の各発光ダイオードの列毎に各駆動回路を設けるので、各駆動回路は少数の発光ダイオードに出力する物で良く、小型かつ安価な物を使うことができる。
【００１４】
請求項３の本発明では、順次位相が異なる複数のラッチ信号を出力するラッチ信号源を設け、各赤色用駆動回路と各緑色用駆動回路と各青色用駆動回路へ各ラッチ信号を出力する事により、各駆動回路に対し、表示データを分割して保存させる。上記構成により、各駆動回路に対し、表示データを正確に分割して与えることができる。
【００１５】
請求項４の本発明では、各駆動回路は各ラッチ信号の入力に従い、各発光ダイオードに対し、分割された表示データを出力する。上記構成により、各発光ダイオードに対し、表示データを正確に分割して与えることができる。
【００１６】
請求項５の本発明では、行列状に前記表示データを記憶する記憶部を設け、記憶部の各列には、各列毎の赤色用駆動回路へ出力すべき赤色表示データと、各列毎の緑色用駆動回路へ出力すべき緑色表示データと、各列毎の青色用駆動回路へ出力すべき青色表示データとが保存され、記憶部の各行に保存された表示データは、第１表示部の各行に表示されるべき表示データと一致する。上記構成により、本発明の多色表示装置は、従来の単色表示装置と、略同じデータ量を扱う事になる。その結果、本発明の多色表示装置は、従来と同程度の性能を持つ制御手段を用いることができ、コストが安くて済む。
【００１７】
請求項６の本発明では、１画素が赤色発光ダイオードと緑色発光ダイオードと青色発光ダイオードとからなり、複数の画素が縦横に並べられ、第１表示部に隣接する第２表示部と、列状に並んだ各赤色発光ダイオードと各緑色発光ダイオードと各青色発光ダイオードを各々、スタティック駆動する第２赤色用駆動回路と第２緑色用駆動回路と第２青色用駆動回路とを備え、表示データは駆動回路と第２共通線を介して、各第２駆動回路へ出力される。上記構成により、第１表示部に第２表示部を加えても、赤、緑、青共用の１本の表示でデータ線を使うことができる。更に、各駆動回路および各第２駆動回路はスタティック駆動するので、全期間中の全点灯時間を１００％近くに設定できる。その結果、赤、緑、青の各発光ダイオードによる輝度は十分なものとなる。
【発明を実施するための最良の形態】
【００１８】
以下に、図１ないし図９に従い、本発明を実施するための最良の形態に係る表示装置１を説明する。図１（ａ）は表示装置１の正面図、図１（ｂ）は表示装置１の左側面図、図２（ａ）は表示装置１の背面図、図２（ｂ）は表示装置１の右側面図である。図３は表示装置１のブロック図、図４は表示装置１に用いられる制御手段２のブロック図、図５は表示装置１の部分正面図である。図６は第１表示部Ａを構成する１つの画素３の正面図、図７は表示装置１に用いられるラッチ信号源４の配線図である。図８は、表示装置１に用いられる第１表示セットＡ１の電気回路図である。図９は、表示装置１に用いられる記憶部５内の模式図である。
【００１９】
第１表示部Ａは例えば、縦に８個、横に５個の複数の画素３が並んだものであり、各画素３は回路基板６Ａ上に固定されている（図１と図５を参照）。１つの画素３は例えば、２個の赤色発光ダイオード７，８と、緑色発光ダイオード９と、青色発光ダイオード１０とが近接して配置されたものである（図６を参照）。
【００２０】
第２表示部Ｂは第１表示部Ａに近接して上方に配置され、縦に８個、横に５個の複数の画素３が並んだものであり、各画素３は回路基板６Ｂ上に固定されている（図１と図５を参照）。
【００２１】
第３表示部Ｃは第２表示部Ｂに近接して上方に配置され、縦に８個、横に５個の複数の画素３が並んだものであり、各画素３は回路基板６Ｃ上に固定されている（図１を参照）。
【００２２】
第４表示部Ｄは第３表示部Ｃに近接して上方に配置され、縦に８個、横に５個の複数の画素３が並んだものであり、各画素３は回路基板６Ｄ上に固定されている（図１を参照）。
【００２３】
第５表示部Ｅは第１表示部Ａと対向する位置に配置され、縦に８個、横に５個の複数の画素３が並んだものであり、各画素３は回路基板６Ｅ上に固定されている（図２を参照）。
【００２４】
第６表示部Ｆは第５表示部Ｅの上方に配置され、縦に８個、横に５個の複数の画素３が並んだものであり、各画素３は回路基板６Ｆ上に固定されている（図２を参照）。
【００２５】
第７表示部Ｇは第６表示部Ｆの上方に配置され、縦に８個、横に５個の複数の画素３が並んだものであり、各画素３は回路基板６Ｇ上に固定されている（図２を参照）。
【００２６】
第８表示部Ｈは第７表示部Ｇの上方に配置され、縦に８個、横に５個の複数の画素３が並んだものであり、各画素３は回路基板６Ｈ上に固定されている（図２を参照）。
【００２７】
枠体１１は例えば、平面から見れば、角筒状に形成され、側面から見れば、長方形状に形成されている。回路基板６Ａ，６Ｂ，６Ｃ，６Ｄは各々、枠体１１の表面に当接され、ネジにより固定されている。回路基板６Ｅ，６Ｆ，６Ｇ，６Ｈは各々、枠体１１の裏面に当接され、ネジにより固定されている。
【００２８】
カバー１２は例えば、アクリル樹脂の様な透明な材質からなり、略角筒状に形成されている。カバー１２は、第１表示部Ａ、第２表示部Ｂ、第３表示部Ｃ、第４表示部Ｄ，第５表示部Ｅ、第６表示部Ｆ、第７表示部Ｇ、第８表示部Ｈを覆う様に、枠体１１に対して、ボルト１３にて固定されている。
【００２９】
上カバー１４は、第４表示部Ｄおよび第８表示部Ｈの上部に固定され、下カバー１５は、第１表示部Ａおよび第５表示部Ｅの下方に固定されている（図１と図２を参照）。
【００３０】
第１表示部Ａにおいて、赤色発光ダイオード７，８は直列に接続されている。各列状に並んだ各赤色発光ダイオード７，８をスタティック駆動する赤色用駆動回路Ｄ１〜Ｄ５が各列毎に設けられている（図８を参照）。
【００３１】
即ち、第１列に位置する８組の赤色発光ダイオード７，８の直列接続体の陽極は共通化されて、電源電圧Ｖ−ＬＥＤに接続され、直列接続体の陰極は各々、赤色用駆動回路Ｄ１の各出力端子に接続されている。
【００３２】
第２列に位置する８組の赤色発光ダイオード７，８の直列接続体の陽極は共通化されて、電源電圧Ｖ−ＬＥＤに接続され、直列接続体の陰極は各々、赤色用駆動回路Ｄ２の各出力端子に接続されている。
【００３３】
第３列に位置する８組の赤色発光ダイオード７，８の直列接続体の陽極は共通化されて電源電圧Ｖ−ＬＥＤに接続され、直列接続体の陰極は各々、赤色用駆動回路Ｄ３の各出力端子に接続されている。
【００３４】
第４列に位置する８組の赤色発光ダイオード７，８の直列接続体の陽極は共通化されて電源電圧Ｖ−ＬＥＤに接続され、直列接続体の陰極は各々、赤色用駆動回路Ｄ４の各出力端子に接続されている。
【００３５】
第５列に位置する８組の赤色発光ダイオード７，８の直列接続体の陽極は共通化されて電源電圧Ｖ−ＬＥＤに接続され、直列接続体の陰極は各々、赤色用駆動回路Ｄ５の各出力端子に接続されている。
【００３６】
第１表示部Ａにおいて、各列状に並んだ各緑色発光ダイオード９をスタティック駆動する緑色用駆動回路Ｄ６〜Ｄ１０が各列毎に設けられている（図８を参照）。
【００３７】
即ち、第１列に位置する８個の緑色発光ダイオード９の陽極は共通化されて、電源電圧Ｖ−ＬＥＤに接続され、各陰極は各々、緑色用駆動回路Ｄ６の各出力端子に接続されている。
【００３８】
第２列に位置する８個の緑色発光ダイオード９の陽極は共通化されて、電源電圧Ｖ−ＬＥＤに接続され、各陰極は各々、緑色用駆動回路Ｄ７の各出力端子に接続されている。
【００３９】
第３列に位置する８個の緑色発光ダイオード９の陽極は共通化されて、電源電圧Ｖ−ＬＥＤに接続され、各陰極は各々、緑色用駆動回路Ｄ８の各出力端子に接続されている。
【００４０】
第４列に位置する８個の緑色発光ダイオード９の陽極は共通化されて、電源電圧Ｖ−ＬＥＤに接続され、各陰極は各々、緑色用駆動回路Ｄ９の各出力端子に接続されている。
【００４１】
第５列に位置する８個の緑色発光ダイオード９の陽極は共通化されて、電源電圧Ｖ−ＬＥＤに接続され、各陰極は各々、緑色用駆動回路Ｄ１０の各出力端子に接続されている。
【００４２】
第１表示部Ａにおいて、各列状に並んだ各青色発光ダイオード１０をスタティック駆動する青色用駆動回路Ｄ１１〜Ｄ１５が各列毎に設けられている（図８を参照）。
【００４３】
即ち、第１列に位置する８個の青色発光ダイオード１０の陽極は共通化されて、電源電圧Ｖ−ＬＥＤに接続され、各陰極は各々、青色用駆動回路Ｄ１１の各出力端子に接続されている。
【００４４】
第２列に位置する８個の青色発光ダイオード１０の陽極は共通化されて、電源電圧Ｖ−ＬＥＤに接続され、各陰極は各々、青色用駆動回路Ｄ１２の各出力端子に接続されている。
【００４５】
第３列に位置する８個の青色発光ダイオード１０の陽極は共通化されて、電源電圧Ｖ−ＬＥＤに接続され、各陰極は各々、青色用駆動回路Ｄ１３の各出力端子に接続されている。
【００４６】
第４列に位置する８個の青色発光ダイオード１０の陽極は共通化されて、電源電圧Ｖ−ＬＥＤに接続され、各陰極は各々、青色用駆動回路Ｄ１４の各出力端子に接続されている。
【００４７】
第５列に位置する８個の青色発光ダイオード１０の陽極は共通化されて、電源電圧Ｖ−ＬＥＤに接続され、各陰極は各々、青色用駆動回路Ｄ１５の各出力端子に接続されている。
【００４８】
以上の構成をまとめる。各々が列状に並んだ各赤色発光ダイオード７，８と、各緑色発光ダイオード９と、各青色発光ダイオード１０を各々スタティック駆動する赤色用駆動回路Ｄ１〜Ｄ５と、緑色用駆動回路Ｄ６〜Ｄ１０と、青色用駆動回路Ｄ１１〜Ｄ１５とが設けられている。
【００４９】
第１共通線１６Ａは導電性材質からなり、各駆動回路Ｄ１〜Ｄ１５の各入力端子に接続されている。第１共通線１６Ａには、表示データＳ１と、クロック信号Ｃと、階調信号Ｉとが入力される。この様にして、１連の表示データＳ１は、１本の共通線１６Ａを介して各駆動回路Ｄ１〜Ｄ１５へ出力される。これらの第１共通線１６Ａと、第１表示部Ａと、駆動回路Ｄ１〜Ｄ１５等により、第１表示セットＡ１が構成されている。
【００５０】
同様に、第２表示部Ｂにおいて、行列状に並んだ赤色発光ダイオード７，８を各々、スタティック駆動する第２赤色用駆動回路Ｄ１６〜Ｄ２０が設けられている。行列状に並んだ緑色発光ダイオード９を各々、スタティック駆動する第２緑色用駆動回路Ｄ２１〜Ｄ２５が設けられている。行列状に並んだ青色発光ダイオード１０を各々、スタティック駆動する第２緑色用駆動回路Ｄ２６〜Ｄ３０が設けられている。
【００５１】
第２共通線１６Ｂは導電性材質からなり、各第２駆動回路Ｄ１６〜Ｄ３０の各入力端子に接続されている。第２共通線１６Ｂには、赤色用駆動回路Ｄ１から、表示データＳ１が入力される。この様にして、表示データＳ１は、駆動回路Ｄ１と、第２共通線１６Ｂを介して、第２駆動回路Ｄ１６〜Ｄ３０へ出力される。また、クロック信号Ｃと階調信号Ｉは第２共通線１６Ｂを介して、各第２駆動回路Ｄ１６〜Ｄ３０の各入力端子へ出力される。これらの第２共通線１６Ｂと、第２表示部Ｂと、駆動回路Ｄ１６〜Ｄ３０等により、第２表示セットＢ１が構成されている。
【００５２】
上記第１表示セットＡ１および第２表示セットＢ１と同様にして、各表示部Ｃ，Ｄ，Ｅ，Ｆ，Ｇ，Ｈと、各駆動回路（図示せず）と、各第２共通線（図示せず）とにより、第３表示セットＣ１と、第４表示セットＤ１と、第５表示セットＥ１と、第６表示セットＦ１と、第７表示セットＧ１と、第８表示セットＨ１とが構成されている（図３を参照）。
【００５３】
図７に示す様に、ラッチ信号源４は例えばデコーダからなる。ラッチ信号源４は、アドレス信号ａ，ｂ，ｃ，ｄと基本ラッチ信号ＬＴが入力される。ラッチ信号源４は、順次、位相が異なる複数の（１６個）ラッチ信号ＬＴ−１〜ＬＴ−Ｇを出力する。
【００５４】
ラッチ信号ＬＴ−１は、初期からロウレベルで、時刻Ｔ１から数μＳの間がハイレベルで、その後はロウレベルで、時刻（Ｔ１＋ｔ）から数μＳの間がハイレベルで、その後はロウレベルの波形を繰り返すものである。
【００５５】
ラッチ信号ＬＴ−２は、ラッチ信号ＬＴ−１の波形がＴμＳだけ遅延したものである。同様に、ラッチ信号ＬＴ−Ｆは、ラッチ信号ＬＴ−１の波形が、（１４・Ｔ）μＳだけ遅延されたものである。ラッチ信号ＬＴ−Ｇは、ラッチ信号ＬＴ−１の波形が、（１５・Ｔ）μＳだけ遅延されたものである。
【００５６】
図８に示す様に、ラッチ信号源４は各赤色用駆動回路Ｄ１，Ｄ２，Ｄ３，Ｄ４，Ｄ５に対し、各ラッチ信号ＬＴ−１，ＬＴ−２，ＬＴ−３，ＬＴ−４，ＬＴ−５を出力する。ラッチ信号源４は各緑色用駆動回路Ｄ６，Ｄ７，Ｄ８，Ｄ９，Ｄ１０に対し、各ラッチ信号ＬＴ−６，ＬＴ−７，ＬＴ−８，ＬＴ−９，ＬＴ−Ａを出力する。ラッチ信号源４は各青色用駆動回路Ｄ１１，Ｄ１２，Ｄ１３，Ｄ１４，Ｄ１５に対し、各ラッチ信号ＬＴ−Ｂ，ＬＴ−Ｖ，ＬＴ−Ｄ，ＬＴ−Ｅ，ＬＴ−Ｆを出力する。なお、ラッチ信号ＬＴ−Ｇは利用されない。
【００５７】
ラッチ信号ＬＴ−１が赤色用駆動回路Ｄ１へ出力されると、ラッチ信号ＬＴ−１は初期がロウレベルであるので、赤色用駆動回路Ｄ１は表示データＳ１を読み込まない。その結果、赤色用駆動回路Ｄ１は、８個の出力端子に対し、表示データＳ１を出力しない。
【００５８】
そして、時刻Ｔ１に到った時、ラッチ信号ＬＴ−１はハイレベルに変化すると、赤色用駆動回路Ｄ１（シフトレジスタ等からなる）は、クロック信号Ｃに従い、表示データＳ１から、第１の表示データ（８個）を読み込み、保存する。
【００５９】
その後、赤色用駆動回路Ｄ１は、８個の出力端子に対し、各々の表示データを出力する。そして、ラッチ信号ＬＴ−１はロウレベルに戻る。この様にして、８組の赤色発光ダイオード７，８に対し、各表示データが出力される。その結果、８組の赤色発光ダイオード７，８は各表示データに従い、各々、点灯または非点灯を行う。
【００６０】
次に、時刻Ｔ１＋ｔに到った時に、ラッチ信号ＬＴ−１はハイレベルに変化すると、赤色用駆動回路Ｄ１は、表示データＳ１から、８個の表示データを読み込み、上書き保存する。
【００６１】
その後、赤色用駆動回路Ｄ１は、８個の出力端子に対し、上記第１の表示データ（８個）を出力し、ラッチ信号ＬＴ−１はロウレベルに戻る。その結果、８組の赤色発光ダイオード７，８は、上記第１の表示データ（８個）に従い、各々、点灯または非点灯を行う。この様にして、赤色用駆動回路Ｄ１は、同様の動作を繰り返す。
【００６２】
更に、ラッチ信号ＬＴ−２が赤色用駆動回路Ｄ２へ出力されると、ラッチ信号ＬＴ−２は初期がロウレベルであるので、赤色用駆動回路Ｄ２は表示データＳ１を読み込まない。その結果、赤色用駆動回路Ｄ２は、８個の出力端子に対して、表示データＳ１を出力しない。
【００６３】
そして、時刻（Ｔ１＋Ｔ）に到った時、ラッチ信号ＬＴ−２はハイレベルに変化すると赤色用駆動回路Ｄ２（シフトレジスタ等からなる）は、クロック信号Ｃに従い、表示データＳ１から、第２の表示データ（８個）を読み込み、保存する。
【００６４】
その後、赤色用駆動回路Ｄ２は、８個の出力端子に対し、各々の表示データを出力する。そして、ラッチ信号ＬＴ−２はロウレベルに戻る。この様にして、８組の赤色発光ダイオード７，８に対し、各表示データが出力される。その結果、８組の赤色発光ダイオード７，８は各表示データに従い、各々、点灯または非点灯を行う。
【００６５】
次に、時刻（Ｔ１＋Ｔ＋ｔ）に到った時に、ラッチ信号ＬＴ−２はハイレベルに変化すると、赤色用駆動回路Ｄ２は、表示データＳ１から、第２の表示データ（８個）を読み込み、上書き保存する。
【００６６】
その後、赤色用駆動回路Ｄ２は、８個の出力端子に対し、上記第２の表示データ（８個）を出力し、ラッチ信号ＬＴ−２はロウレベルに戻る。その結果、８組の赤色発光ダイオード７，８は、上記第２の表示データ（８個）に従い、各々、点灯または非点灯を行う。この様にして、赤色用駆動回路Ｄ２は、同様の動作を繰り返す。
【００６７】
同様にして、各駆動回路Ｄ３〜Ｄ５は、表示データＳ１を８個ずつ分割して読み込み、保存する。この様にして、各駆動回路Ｄ１〜Ｄ１５は、ラッチ信号ＬＴ−１〜ＬＴ−Ｆの入力に従い、各発光ダイオード７，８，９，１０に対し、８個ずつに分割された表示データを出力する。
【００６８】
なお、上記例では説明しなかったが、第５表示部Ｅと、第６表示部Ｆと、第７表示部Ｇと、第８表示部Ｈも、上記第１表示部Ａと、第２表示部Ｂと、第３表示部Ｃと、第４表示部Ｄと同様の動作（表示）を行う。
【００６９】
次に、主に図３と図４に従い、表示装置１の電気的構成を説明する。これらの図において、電源プラグ１７の入力側は、電源コンセント（例えば、交流１００ボルト）に挿入される。電源プラグ１７の出力側は、電源コード１８を介して、フィルター部１９の入力側に接続される。フィルター部１９の出力側は、電源部２０の入力側に接続されている。
【００７０】
フィルター部１９は、入力された交流１００ボルトのノイズをフィルターするものである。電源部２０は、交流１００ボルトが入力されると、所定の電圧（例えば、直流５ボルト）に設定された直流電圧を供給するものである。
【００７１】
電源部２０の一方の出力電圧は分岐部２１を介して、表示セットＡ，Ｂ，Ｃ，Ｄへ供給される。電源部２０の他方の出力電圧は分岐部２２を介して、表示セットＥ１，Ｆ１，Ｇ１，Ｈ１へ供給される。
【００７２】
分岐部２１の出力電圧は、制御手段２へ供給される。制御手段２は例えば、点灯制御回路２３と、制御部２４と、記憶部５と、ロム２５と、フォントロム２６と、Ｉ／Ｏポート２７等からなる。
【００７３】
点灯制御回路２３は例えば集積回路素子（ＩＣ）等からなり、入力側は制御部２４に接続されている。点灯制御回路２３は、第１表示セットＡ１〜第８表示セットＨ１に対して表示データＳ１と、クロック信号Ｃと、階調信号Ｉと、ラッチ信号ＬＴ−１〜ＬＴ−Ｆを出力する。この様に、ラッチ信号源４は点灯制御回路２３に内蔵されても良いし、外付けされても良い。
【００７４】
制御部２４は例えばＣＰＵ等からなり、各部品２３，５，２５，２６，２７等を制御する。記憶部５は例えば、ラム等からなり、この表示装置１の動作に必要な各種データを記憶するものである。
【００７５】
ロム２５は、制御部２４の制御プログラムを記憶している。フォントロム２５は、文字データなどを記憶している。
【００７６】
カード２８は例えば、表示装置１に表示すべきデータが書き込まれている。読み取り部２９は、挿入されたカード２８に書き込まれたデータを読み取り、制御手段２へ出力するものである。
【００７７】
読み取り部３０は、リモコン３１から放射された赤外線を検知し、制御手段２へ出力するものである。センサ３２は、表示装置１の所定の個所の温度値または輝度値を測定し、制御手段２へ出力するものである。
【００７８】
次に、図９に従い、記憶部５内の説明を行う。記憶部５は、行列状に表示データを記憶している。例えば、記憶部５の第１７列３３において、各列毎の赤色用駆動回路Ｄ１へ出力すべき８個の赤色表示データが保存されている。
【００７９】
記憶部５の第１８列において、各列毎の赤色用駆動回路Ｄ２へ出力すべき８個の赤色表示データが保存されている。
【００８０】
記憶部５の第１９列において、各列毎の赤色用駆動回路Ｄ３へ出力すべき８個の赤色表示データが保存されている。
【００８１】
記憶部５の第２０列において、各列毎の赤色用駆動回路Ｄ４へ出力すべき８個の赤色表示データが保存されている。
【００８２】
記憶部５の第２１列において、各列毎の赤色用駆動回路Ｄ５へ出力すべき８個の赤色表示データが保存されている。
【００８３】
また、記憶部５の第２２列３４において、各列毎の緑色用駆動回路Ｄ６へ出力すべき８個の緑色表示データが保存されている。
【００８４】
記憶部５の第２３列において、各列毎の緑色用駆動回路Ｄ７へ出力すべき８個の緑色表示データが保存されている。
【００８５】
記憶部５の第２４列において、各列毎の緑色用駆動回路Ｄ８へ出力すべき８個の緑色表示データが保存されている。
【００８６】
記憶部５の第２５列において、各列毎の緑色用駆動回路Ｄ９へ出力すべき８個の緑色表示データが保存されている。
【００８７】
記憶部５の第２６列において、各列毎の緑色用駆動回路Ｄ１０へ出力すべき８個の緑色表示データが保存されている。
【００８８】
また、記憶部５の第２７列３５において、各列毎の青色用駆動回路Ｄ１１へ出力すべき８個の青色表示データが保存されている。
【００８９】
記憶部５の第２８列において、各列毎の青色用駆動回路Ｄ１２へ出力すべき８個の青色表示データが保存されている。
【００９０】
記憶部５の第２９列において、各列毎の青色用駆動回路Ｄ１３へ出力すべき８個の青色表示データが保存されている。
【００９１】
記憶部５の第３０列において、各列毎の青色用駆動回路Ｄ１４へ出力すべき８個の青色表示データが保存されている。
【００９２】
記憶部５の第３１列において、各列毎の青色用駆動回路Ｄ１５へ出力すべき８個の青色表示データが保存されている。
【００９３】
また、記憶部５の第１行３６に保存された１５個の表示データは、第１表示部Ａの第１行に表示されるべき表示データと一致する様に、構成されている。
【００９４】
同様に、記憶部５の各行に保存された１５個ずつの表示データは、第１表示部Ａの各行に表示されるべき表示データと一致する様に、構成されている。この様にして、記憶部５において、第１表示部Ａに表示すべき表示データ３７が記憶されている。
【００９５】
同様に、記憶部５において、第２表示部Ｂに表示すべき表示データ３８が記憶されている。また、記憶部５において、第３表示部Ｃに表示すべき表示データ３９が記憶されている。同様に、記憶部５において、第４表示部Ｄに表示すべき表示データ４０が記憶されている。この様に、記憶部５において、表示データが記憶されている。記憶部５において、第１６列目と第３２列目には、表示データは記憶されていない。
【００９６】
従来、本発明者は、１文字が縦１６ドット×横１６ドットの表示部を２個使い、単色表示をさせていた。この従来の表示装置と比較し、本発明の表示装置１では、縦が１６ドットで、横が３０ドットのデータを扱うので、データ量は従来より少ない。
【００９７】
その結果、本表示装置１は３色の発光ダイオードを用いた多色表示にかかわらず、従来と同程度の性能を持つ制御手段２を用いる事ができ、コストが安い。
【図面の簡単な説明】
【００９８】
【図１】図１（ａ）は、本発明を実施するための最良の形態に係る表示装置１の正面図、図１（ｂ）は、表示装置１の左側面図である。
【図２】図２（ａ）は、本発明を実施するための最良の形態に係る表示装置１の背面図、図２（ｂ）は、表示装置１の右側面図である。
【図３】本表示装置１のブロック図である。
【図４】本表示装置１に用いられる制御手段２のブロック図である。
【図５】本表示装置１の部分正面図である
【図６】第１表示部Ａを構成する１つの画素３の正面図である。
【図７】本表示装置１に用いられるラッチ信号源４の配線図である。
【図８】本表示装置１に用いられる第１表示セットＡ１の電気回路図である。
【図９】本表示装置１に用いられる記憶部５内の模式図である。
【符号の説明】
【００９９】
３  画素
７，８  赤色発光ダイオード
９  緑色発光ダイオード
１０  青色発光ダイオード
１６Ａ  第１共通線
Ｄ１〜Ｄ５  赤色用駆動回路
Ｄ６〜Ｄ１０  緑色用駆動回路
Ｄ１１〜Ｄ１５  青色用駆動回路
【図１】
2006064726.tif 000003
【図２】
2006064726.tif 000004
【図３】
2006064726.tif 000005
【図４】
2006064726.tif 000006
【図５】
2006064726.tif 000007
【図６】
2006064726.tif 000008
【図７】
2006064726.tif 000009
【図８】
2006064726.tif 000010
【図９】
2006064726.tif 000011